(57)【要約】【課題】映像信号電圧を良好に保持することができる表示装置を提供する。【解決手段】表示装置は、  画素を構成する表示素子が行方向と列方向とに２次元マトリクス状に配列されている画素アレイ部を有し、  表示素子は、電流駆動型の発光部、及び、発光部を駆動するための駆動回路を備えており、  駆動回路は、映像信号を書き込むための書込みトランジスタと、発光部に電流を流す駆動トランジスタとを少なくとも含んでおり、  少なくとも書込みトランジスタのバックゲートには、駆動トランジスタに電圧を供給する給電線とは別に設けられたバックゲート用配線を介して、電圧が供給される。【選択図】  図１１
2020086045.tif 000002
【特許請求の範囲】
【請求項１】
画素を構成する表示素子が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される、
表示装置。
【請求項２】
バックゲート用配線には、一定の電圧が供給される、
請求項１に記載の表示装置。
【請求項３】
書込みトランジスタはｐチャネル型トランジスタから構成されており、
バックゲート用配線には、給電線に供給される電圧と同じ電圧または異なる電圧が供給される、
請求項２に記載の表示装置。
【請求項４】
給電線とバックゲート用配線とには、共通の電源部から電圧が供給される、
請求項３に記載の表示装置。
【請求項５】
給電線には給電線に対応した電源部から電圧が供給され、
バックゲート用配線には、給電線に対応した電源部とは異なる電源部から電圧が供給される、
請求項３に記載の表示装置。
【請求項６】
バックゲート用配線には、表示素子の走査に応じて変化する電圧が供給される、
請求項１に記載の表示装置。
【請求項７】
バックゲート用配線には、書込みトランジスタのゲート電極に接続される走査線に供給される電圧と同じ電圧が供給される、
請求項６に記載の表示装置。
【請求項８】
駆動回路は、導電型が異なる２種類のトランジスタを含んでおり、
少なくとも書込みトランジスタを構成する導電型トランジスタ用のバックゲート用配線が設けられている、
請求項１に記載の表示装置。
【請求項９】
２種類のトランジスタのそれぞれに対応したバックゲート用配線が設けられている、
請求項８に記載の表示装置。
【請求項１０】
発光部は有機エレクトロルミネッセンス発光部から成る、
請求項１に記載の表示装置。
【請求項１１】
画素を構成する表示素子が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される、
表示装置を備えた電子機器。
【発明の詳細な説明】
【技術分野】
【０００１】
本開示は、表示装置、及び、電子機器に関する。
【背景技術】
【０００２】
電流駆動型の発光部を備えた表示素子、及び、係る表示素子を備えた表示装置が周知である。例えば、有機エレクトロルミネッセンス素子から成る発光部を備えた表示素子は、低電圧直流駆動による高輝度発光が可能な表示素子として注目されている。
【０００３】
有機エレクトロルミネッセンスを用いた表示装置は、自発光型であり、更には、高精細度の高速ビデオ信号に対しても充分な応答性を有する。眼鏡やゴーグルなどといったアイウェアに装着するための表示装置にあっては、例えば、画素サイズを数ミクロンメートルないし１０ミクロンメートル程度とするといったことも求められている。アクティブマトリクス方式により駆動される表示素子にあっては、発光層を含む有機層等から構成された発光部に加えて、発光部を駆動するための駆動回路を備えている。
【０００４】
電流駆動型の発光部を駆動するための回路として、トランジスタと容量部から構成された駆動回路が周知である（例えば、特許文献１を参照）。図２３は、ｐチャネル型トランジスタを用いて駆動回路を構成した表示素子を画素とした表示装置において、第ｍ行、第ｎ列目に位置する画素の回路構成の一例を示す。
【０００５】
画素７０における駆動回路７１は、駆動トランジスタＴＲD、書込みトランジスタＴＲW、及び、容量部ＣSを含んでいる。発光部ＥＬＰは流れる電流の値に応じた輝度で発光する。発光部ＥＬＰに流れる電流は、駆動トランジスタＴＲDのゲート・ソース間電圧によって制御される。
【０００６】
書込みトランジスタＴＲWは、垂直スキャナー１２０から走査線ＷＳmを介して供給される走査パルス（低電圧がアクティブ状態）に応答して導通状態となる。書込みトランジスタＴＲWが導通状態となることによって、ソースドライバ１１０から信号線ＤＴＬnに供給される映像信号電圧ＶSigが画素７０に書き込まれる。
【０００７】
容量部ＣSは、駆動トランジスタＴＲDのゲート電極とソース電極との間に接続されている。駆動トランジスタＴＲDのソース電極には電源部１３０から給電線ＰＳ１mを介して電源電圧ＶCCが印加され、ゲート電極には映像信号電圧ＶSigが印加される。結果として、容量部ＣSは（ＶCC−ＶSig）といった電圧を、駆動トランジスタＴＲDのゲート・ソース間電圧として保持する。駆動トランジスタＴＲDには、以下の式（１）で表すドレイン電流Ｉdsが流れ、発光部ＥＬＰは電流値に応じた輝度で発光する。
【０００８】
Ｉds＝ｋ・μ・（（ＶCC−ＶSig）−｜Ｖth｜）2    （１）
尚、
μ  ：実効的な移動度
Ｌ  ：チャネル長
Ｗ  ：チャネル幅
Ｖth：閾値電圧
Ｃox：（ゲート絶縁層の比誘電率）×（真空の誘電率）／（ゲート絶縁層の厚さ）
ｋ≡（１／２）・（Ｗ／Ｌ）・Ｃox
とする。
【０００９】
例えば駆動トランジスタＴＲDをｐチャネル型とする場合には、黒階調を実現するために、駆動トランジスタＴＲDのゲート電極にソース電極側の電圧（図２３の例では電源電圧ＶCC）と同様の電圧あるいはそれ以上の電圧を印加し、駆動トランジスタＴＲDのリーク電流を充分に抑制するといったことが必要となる。
【先行技術文献】
【特許文献】
【００１０】
【特許文献１】特開２０１５−１８７６７２号公報
【発明の概要】
【発明が解決しようとする課題】
【００１１】
駆動回路を構成するトランジスタをｐチャネル型トランジスタとする場合、トランジスタのバックゲート電圧として、表示装置に供給される最も高い固定電位である電源電圧ＶCCを供給するといった構成とすることが多い。この場合、配線数の削減などといった観点からは、給電線ＰＳ１を介して、バックゲート電圧として電源電圧ＶCCを供給するといった構成とするのが便宜である。
【００１２】
しかしながら、給電線ＰＳ１には、画素を構成する表示素子の発光に応じて電流が流れる。また、給電線ＰＳ１に流れる電流量は、給電線ＰＳ１に接続される複数の画素の発光状態によって変化する。このため、トランジスタのバックゲート電圧が、表示素子の発光に応じて変動するといったことが考えられる。特に、書込みトランジスタのバックゲート電圧が変動すると、容量部ＣSに保持されている電荷のリークに影響を与えるので、表示品位を害する要因ともなり得る。
【００１３】
従って、本開示の目的は、画素を構成する表示素子の発光状態にかかわらず、バックゲート電圧を好適に保持することができる表示装置、及び、係る表示装置を備えた電子機器を提供することにある。
【課題を解決するための手段】
【００１４】
上記の目的を達成するための本開示に係る表示装置は、
画素を構成する表示素子が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される、
表示装置である。
【００１５】
上記の目的を達成するための本開示に係る電子機器は、
画素を構成する表示素子が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される、
表示装置を備えた電子機器である。
【図面の簡単な説明】
【００１６】
【図１】図１は、第１の実施形態に係る表示装置の概念図である。
【図２】図２は、発光部と発光部を駆動するための駆動回路とを含む画素（表示素子）の模式的な回路図である。
【図３】図３は、画素アレイ部における画素を含む部分の模式的な一部断面図である。
【図４】図４は、参考例に係る表示装置の概念図である。
【図５】図５は、参考例に係る表示装置における画素の動作状態を説明するための模式的な回路図である。
【図６】図６は、参考例に係る表示装置における第ｍ行に属する画素群において、１つの画素が白表示であり他の画素は黒表示である場合に、給電線ＰＳ１に生ずる電圧変動を説明するための模式図である。
【図７】図７は、参考例に係る表示装置における第ｍ行に属する画素群において、１つの画素が黒表示であり他の画素は白表示である場合に、給電線ＰＳ１に生ずる電圧変動を説明するための模式図である。
【図８】図８は、給電線ＰＳ１に生ずる電圧変動によって生ずる容量部ＣSからの電荷漏れを説明するための模式的な回路図である。
【図９】図９は、第１の実施形態に係る表示装置におけるバックゲート電圧の供給路を説明するための模式的な回路図である。
【図１０】図１０は、図９に引き続き、第１の実施形態に係る表示装置におけるバックゲート電圧の供給路を説明するための模式的な回路図である。
【図１１】図１１は、第１の実施形態の第１変形例に係る表示装置の概念図である。
【図１２】図１２は、第１の実施形態の第２変形例に係る表示装置の概念図である。
【図１３】図１３は、第２の実施形態に係る表示装置の概念図である。
【図１４】図１４は、第１変形例の画素に含まれる駆動回路におけるバックゲート電圧の供給路を説明するための模式的な回路図である。
【図１５】図１５は、第２変形例の画素に含まれる駆動回路におけるバックゲート電圧の供給路を説明するための模式的な回路図である。
【図１６】図１６は、第３変形例の画素に含まれる駆動回路におけるバックゲート電圧の供給路を説明するための模式的な回路図である。
【図１７】図１７は、第４変形例の画素に含まれる駆動回路におけるバックゲート電圧の供給路を説明するための模式的な回路図である。
【図１８】図１８は、第５変形例の画素に含まれる駆動回路におけるバックゲート電圧の供給路を説明するための模式的な回路図である。
【図１９】図１９は、第６変形例の画素に含まれる駆動回路におけるバックゲート電圧の供給路を説明するための模式的な回路図である。
【図２０】図２０は、レンズ交換式一眼レフレックスタイプのデジタルスチルカメラの外観図であり、図２０Ａにその正面図を示し、図２０Ｂにその背面図を示す。
【図２１】図２１は、ヘッドマウントディスプレイの外観図である。
【図２２】図２２は、シースルーヘッドマウントディスプレイの外観図である。
【図２３】図２３は、ｐチャネル型トランジスタを用いて駆動回路を構成した表示素子を画素とした表示装置において、第ｍ行、第ｎ列目に位置する画素の回路構成の一例を示す。
【発明を実施するための形態】
【００１７】
以下、図面を参照して、実施形態に基づいて本開示を説明する。本開示は実施形態に限定されるものではなく、実施形態における種々の数値や材料は例示である。以下の説明において、同一要素または同一機能を有する要素には同一符号を用いることとし、重複する説明は省略する。尚、説明は、以下の順序で行う。
１．本開示に係る、表示装置、及び、電子機器、全般に関する説明
２．第１の実施形態
３．第２の実施形態
４．駆動回路の変形例
５．電子機器の説明、その他
【００１８】
［本開示に係る、表示装置、及び、電子機器、全般に関する説明
］
上述したように、本開示に係る表示装置、及び、本開示に係る電子機器に用いられる表示装置（以下、これらを単に「本開示の表示装置」と呼ぶ場合がある）は、
表示素子から成る画素が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される。
【００１９】
本開示の表示装置において、バックゲート用配線には、一定の電圧が供給される構成とすることができる。
【００２０】
上述した好ましい構成を含む本開示の表示装置にあっては、
書込みトランジスタはｐチャネル型トランジスタから構成されており、
バックゲート用配線には、給電線に供給される電圧と同じ電圧または異なる電圧が供給される、
構成とすることができる。
【００２１】
この場合において、給電線とバックゲート用配線とには、共通の電源部から電圧が供給される構成とすることができる。この構成は、表示装置の構成の簡易化を図ることができるといった利点を備えている。共通の電源部は、表示装置内に設けられていてもよいし、表示装置外に設けられていてもよい。
【００２２】
あるいは又、この場合において、給電線には給電線に対応した電源部から電圧が供給され、バックゲート用配線には、給電線に対応した電源部とは異なる電源部から電圧が供給される構成とすることができる。この構成は、バックゲート用配線に供給される電圧をより安定化することができるといった利点を備えている。この場合においても、各電源部は、表示装置内に設けられていてもよいし、表示装置外に設けられていてもよい。
【００２３】
あるいは又、本開示の表示装置において、バックゲート用配線には、表示素子の走査に応じて変化する電圧が供給される構成とすることができる。この場合において、バックゲート用配線には、書込みトランジスタのゲート電極に接続される走査線に供給される電圧と同じ電圧が供給される構成とすることができる。
【００２４】
上述した各種の好ましい構成を含む本開示の表示装置において、
駆動回路は、導電型が異なる２種類のトランジスタを含んでおり、
少なくとも書込みトランジスタを構成する導電型トランジスタ用のバックゲート用配線が設けられている、
構成とすることができる。
【００２５】
この場合において、
２種類のトランジスタのそれぞれに対応したバックゲート用配線が設けられている、
構成とすることができる。
【００２６】
上述した各種の好ましい構成を含む本開示の表示装置に用いられる電流駆動型の発光部として、有機エレクトロルミネッセンス素子、ＬＥＤ素子、半導体レーザ素子などを用いることができる。これらの素子は、周知の材料や方法を用いて構成することができる。平面型の表示装置を構成する観点からは、中でも、発光部は有機エレクトロルミネッセンス発光部から成る構成とすることが好ましい。
【００２７】
以下、本開示に係る表示装置や電子機器を、単に、本開示と呼ぶ場合がある。本開示において、駆動回路は、半導体基板や、半導体材料層が形成された絶縁基板などに形成することができる。駆動回路を半導体基板に形成されたトランジスタによって構成するといった場合、例えばシリコンから成る半導体基板にウェル領域を設け、ウェル内にトランジスタを形成するといった構成とすればよい。
【００２８】
駆動回路を構成するトランジスタの導電型は特に限定するものではない。例えば、書込みトランジスタや駆動トランジスタはｐチャネル型トランジスタから成る構成とすることができる。この場合には、駆動トランジスタのゲートにローレベルの電圧が印加されると画素は発光する。また、ゲートに充分なハイレベルの電圧が印加されると画素は消灯する。以下の説明において、表示装置の仕様上最も高輝度の表示に対応する信号電圧が画素に書き込まれた状態を「白表示」と呼び、仕様上最も低輝度の表示に対応する信号電圧が画素に書き込まれた状態を「黒表示」と呼ぶ場合がある。
【００２９】
表示装置に用いられる各種配線は、例えば、真空蒸着法やスパッタリング法に例示される物理的気相成長法（ＰＶＤ法）、各種の化学的気相成長法（ＣＶＤ法）などの周知の成膜方法と、エッチング法やリフトオフ法などの周知のパターニング法との組み合わせによって形成することができる。
【００３０】
表示装置を駆動するソースドライバなどは、表示素子が配置される半導体基板などに集積されて一体となった構成であってもよいし、適宜別体として構成されていてもよい。これらは、周知の回路素子を用いて構成することができる。例えば、図１に示す垂直スキャナー、及び、電源部についても、周知の回路素子を用いて構成することができる。ヘッドマウントディスプレイ用やビューファインダ用の表示装置など、小型化が要求される用途においては、表示素子とドライバとが、同じ半導体基板などの上に形成されているといった構成とすることが好ましい。
【００３１】
表示装置は、所謂モノクロ表示の構成であってもよいし、カラー表示の構成であってもよい。カラー表示の構成とする場合には、１つのカラー画素は複数の画素から成る構成、具体的には、１つのカラー画素は、赤色表示画素、緑色表示画素、及び、青色表示画素の組から成る構成とすることができる。更には、これらの３種の画素に更に１種類あるいは複数種類の画素を加えた１組から構成することもできる。
【００３２】
表示装置の画素（ピクセル）の値として、Ｕ−ＸＧＡ（１６００，１２００）、ＨＤ−ＴＶ（１９２０，１０８０）、Ｑ−ＸＧＡ（２０４８，１５３６）の他、（３８４０，２１６０）、（７６８０，４３２０）等、画像表示用解像度の幾つかを例示することができるが、これらの値に限定するものではない。
【００３３】
また、本開示の表示装置を備えた電子機器として、直視型や投射型の表示装置の他、画像表示機能を備えた各種の電子機器を例示することができる。
【００３４】
本明細書における各種の条件は、数学的に厳密に成立する場合の他、実質的に成立する場合にも満たされる。設計上あるいは製造上生ずる種々のばらつきの存在は許容される。また、以下の説明で用いる各図面は模式的なものであり、実際の寸法やその割合を示すものではない。例えば、後述する図３は表示装置の断面構造を示すが、幅、高さ、厚さなどの割合を示すものではない。
【００３５】
［第１の実施形態］
第１の実施形態は、本開示に係る、表示装置、及び、電子機器に関する。
【００３６】
図１は、第１の実施形態に係る表示装置の概念図である。
【００３７】
表示装置の概要について説明する。表示装置１は、画素を構成する表示素子７０が行方向と列方向とに２次元マトリクス状に配列されている画素アレイ部８０を有する。また、表示装置１は、行方向（図１においてＸ方向）に沿って配された画素行毎に設けられた、走査線ＷＳ、給電線ＰＳ１、及び、バックゲート用配線ＶＳＢ、並びに、列方向（図１においてＹ方向）に沿って配された画素列毎に設けられたデータ線ＤＴＬを含んでいる。各表示素子７０は、走査線ＷＳ、給電線ＰＳ１、及び、バックゲート用配線ＶＳＢと、データ線ＤＴＬとに接続された状態で、行方向にＮ個、列方向にＭ個、合計Ｎ×Ｍ個の２次元マトリクス状に配列されている。
【００３８】
２次元マトリクス状に配列された表示素子７０によって、画像を表示する画素アレイ部８０が構成される。画素アレイ部８０における表示素子７０の行数はＭであり、各行を構成する表示素子７０の数はＮである。以下の説明において、表示素子７０を、画素７０と表記する場合がある。
【００３９】
走査線ＷＳ、給電線ＰＳ１、及び、バックゲート用配線ＶＳＢの本数は、それぞれＭ本である。第ｍ行目（但し、ｍ＝１，２・・・，Ｍ）の画素７０は、第ｍ番目の走査線ＷＳm、第ｍ番目の給電線ＰＳ１m、及び、第ｍ番目のバックゲート用配線ＶＳＢmに接続されており、１つの画素行を構成する。また、データ線ＤＴＬの本数はＮ本である。第ｎ列目（但し、ｎ＝１，２・・・，Ｎ）の画素７０は、第ｎ番目のデータ線ＤＴＬnに接続されている。
【００４０】
尚、図１では記載を省略しているが、表示装置１は、全ての画素７０に共通に接続される共通給電線を備えている。共通給電線には、共通の電圧として例えば接地電位が定常的に供給される。
【００４１】
表示装置１は、画素アレイ部８０を駆動するためのソースドライバ１１０、垂直スキャナー１２０、及び、電源部１３０を備えている。
【００４２】
画素アレイ部８０は、例えば基材上にシリコンから成る半導体層が形成されて成る半導体基板１００の上に形成されている。尚、ソースドライバ１１０、垂直スキャナー１２０、及び、電源部１３０も、半導体基板１００の上に形成されている。即ち、表示装置１は、ドライバ回路一体型の表示装置である。尚、場合によっては、画素アレイ部８０を駆動する各種回路が別体として構成されていてもよい。
【００４３】
ソースドライバ１１０には、例えば図示せぬ装置から、表示すべき画像に応じた階調を表す信号ＬＤSigが入力される。信号ＬＤSigは、例えば低電圧のデジタル信号である。ソースドライバ１１０は、映像信号ＬＤSigの階調値に応じたアナログ信号を生成し、映像信号としてデータ線ＤＴＬに供給するために用いられる。生成するアナログ信号は、最大値はソースドライバ１１０に供給される電源電圧と略同等であって、振れ幅は数ボルト程度といった信号である。
【００４４】
垂直スキャナー１２０は、走査線ＷＳに走査信号を供給する。この走査信号によって、画素７０は例えば行単位で線順次走査される。電源部１３０は、走査線ＷＳの走査とは無関係に、給電線ＰＳ１に所定の電源電圧ＶCC（例えば１０ボルト程度）を継続して供給するとして説明する。尚、場合によっては、走査線ＷＳの走査に対応して、給電線ＰＳ１に供給する電圧を切り替えるといった構成であってもよい。
【００４５】
バックゲート用配線ＶＳＢには、一定の電圧が供給される。後で図２を参照して詳しく説明するが、画素７０に含まれる書込みトランジスタはｐチャネル型トランジスタから構成されている。そして、バックゲート用配線ＶＳＢには、給電線ＰＳ１に供給される電圧と同じ電圧または異なる電圧が供給される構成とすることができる。図１に示す例では、給電線ＰＳ１とバックゲート用配線ＶＳＢとには、共通の電源部１３０から同じ電圧が供給される。
【００４６】
表示装置１は、例えばカラー表示の表示装置であり、行方向に並ぶ３つの画素７０から成る群が１つのカラー画素を構成する。従って、Ｎ’＝Ｎ／３とすれば、画素アレイ部８０には、行方向にＮ’個、列方向にＭ個、合計Ｎ’×Ｍ個のカラー画素が配列される。
【００４７】
上述したように、垂直スキャナー１２０の走査信号によって、画素７０は行単位で線順次走査される。第ｍ行、第ｎ列目に位置する画素７０を、以下、第（ｎ，ｍ）番目の画素７０と呼ぶ。
【００４８】
表示装置１にあっては、第ｍ行目に配列されたＮ個の画素７０が同時に駆動される。換言すれば、行方向に沿って配されたＮ個の画素７０にあっては、その発光／非発光のタイミングは、それらが属する行単位で制御される。表示装置１の表示フレームレートをＦＲ（回／秒）と表せば、表示装置１を行単位で線順次走査するときの１行当たりの走査期間（いわゆる水平走査期間）は、（１／ＦＲ）×（１／Ｍ）秒未満である。
【００４９】
以上、表示装置１の概要について説明した。次いで、画素（表示素子）７０の詳細について説明する。
【００５０】
図２は、発光部と発光部を駆動するための駆動回路とを含む画素（表示素子）の模式的な回路図である。尚、図示の都合上、図２においては、１つの画素７０、より具体的には、第（ｎ，ｍ）番目の画素７０についての結線関係を示した。
【００５１】
図２に示すように、画素（表示素子）７０は、電流駆動型の発光部ＥＬＰ、及び、発光部ＥＬＰを駆動するための駆動回路７１を備えている。駆動回路７１は、映像信号を書き込むための書込みトランジスタＴＲWと、発光部ＥＬＰに電流を流す駆動トランジスタＴＲDとを少なくとも含んでいる。これらは、ｐチャネル型トランジスタから構成されている。
【００５２】
駆動回路７１は、更に、容量部ＣSを備えている。容量部ＣSは、駆動トランジスタＴＲDのソース領域に対するゲート電極の電圧（所謂ゲート・ソース間電圧）を保持するために用いられる。画素７０の発光時において、駆動トランジスタＴＲDの一方のソース／ドレイン領域（図２において給電線ＰＳ１に接続されている側）はソース領域として働き、他方のソース／ドレイン領域はドレイン領域として働く。
【００５３】
容量部ＣSを構成する一方の電極と他方の電極は、それぞれ、駆動トランジスタＴＲDの一方のソース／ドレイン領域とゲート電極に接続されている。駆動トランジスタＴＲDの他方のソース／ドレイン領域は、発光部ＥＬＰのアノード電極に接続されている。
【００５４】
発光部ＥＬＰは、流れる電流値に応じて発光輝度が変化する電流駆動型の発光部であって、具体的には、有機エレクトロルミネッセンス発光部から成る。発光部ＥＬＰは、アノード電極、正孔輸送層、発光層、電子輸送層、及び、カソード電極等から成る周知の構成や構造を有する。
【００５５】
発光部ＥＬＰの他端（具体的には、カソード電極）は、共通給電線に接続されている。共通給電線には所定の電圧ＶCATH（例えば接地電位）が供給される。尚、発光部ＥＬＰの容量を符号ＣELで表す。発光部ＥＬＰの容量ＣELが小さくて画素７０を駆動する上で支障を生ずるなどといった場合には、必要に応じて、発光部ＥＬＰに対して並列に接続される補助容量を設ければよい。
【００５６】
書込みトランジスタＴＲWは、走査線ＷＳに接続されるゲート電極と、データ線ＤＴＬに接続される一方のソース／ドレイン領域と、駆動トランジスタＴＲDのゲート電極に接続される他方のソース／ドレイン領域とを有する。結果として、データ線ＤＴＬからの信号電圧は、書込みトランジスタＴＲWを介して容量部ＣSに書き込まれる。
【００５７】
上述したように、容量部ＣSは、駆動トランジスタＴＲDの一方のソース／ドレイン領域とゲート電極との間に接続されている。駆動トランジスタＴＲDの一方のソース／ドレイン領域には電源部１３０から給電線ＰＳ１mを介して電源電圧ＶCCが印加される。データ線ＤＴＬからの映像信号電圧ＶSigが書込みトランジスタＴＲWを介して容量部ＣSに書き込まれると、容量部ＣSは（ＶCC−ＶSig）といった電圧を、駆動トランジスタＴＲDのゲート・ソース間電圧として保持する。駆動トランジスタＴＲDには、背景技術において説明した式（１）で表すドレイン電流Ｉdsが流れ、発光部ＥＬＰは電流値に応じた輝度で発光する。
【００５８】
そして、表示装置１において、少なくとも書込みトランジスタＴＲWのバックゲートには、駆動トランジスタＴＲDに電圧を供給する給電線ＰＳ１とは別に設けられたバックゲート用配線ＶＳＢを介して、電圧が供給される。図２に示す例では、書込みトランジスタＴＲW及び駆動トランジスタＴＲDのバックゲートに、バックゲート用配線ＶＳＢを介して電圧が供給される。これによって、各トランジスタのバックゲートには、駆動トランジスタＴＲDに電圧を供給する供給路とは別系統、換言すれば、駆動トランジスタＴＲDに電圧を供給する供給路とは独立した供給路を介して、電圧が供給される。
【００５９】
ここで、発光部ＥＬＰやトランジスタなどの立体的な配置関係について説明する。図３は、画素アレイ部における画素を含む部分の模式的な一部断面図である。
【００６０】
画素７０における駆動回路７１は、基材１０上にシリコンから成る半導体層２０が形成されて成る半導体基板（図１に示す符号１００）に形成されている。駆動トランジスタＴＲD及び書込みトランジスタＴＲWは、半導体層２０に形成されたｎチャネル型ウエル２１に設けられている。尚、図示の都合上、図３にあっては、書込みトランジスタＴＲWのみが表されている。符号２３Ａ及び２３Ｂは、書込みトランジスタＴＲWの一対のソース／ドレイン領域を示す。
【００６１】
各トランジスタは、素子分離領域２２Ａによって囲まれている。符号３２はトランジスタＴＲWのゲート電極、符号３１はゲート絶縁層を示す。素子分離領域２２Ａは、半導体基板の表面に掘られた溝に絶縁体が埋め込まれたＳＴＩ（Shallow Trench Isolation）構造によって形成されている。後述する分離領域２２Ｂにおいても同様である。
【００６２】
容量部ＣSを構成する一方の電極３２’は、ゲート電極３２と同層の材料層から構成されており、ゲート絶縁層３１と同層の材料層から成る絶縁層３１’上に形成されている。ゲート電極３２や電極３２’を含む半導体層２０上の全面に、層間絶縁層３３が形成されている。容量部ＣSを構成する他方の電極３４は、例えば後述するコンタクトプラグ３５などを形成する工程において併せて形成することができる。電極３４は、層間絶縁層３３を挟んで電極３２’と対向するように配置されている。
【００６３】
書込みトランジスタＴＲWにおいて、一方のソース／ドレイン領域２３Ａは、層間絶縁層３３に設けられたコンタクトプラグ３５を介して、図示せぬデータ線ＤＴＬに接続されている。また、他方のソース／ドレイン領域２３Ｂは、層間絶縁層３３に設けられたコンタクトプラグ３６を介して、駆動トランジスタＴＲDのゲート電極と容量部ＣSを構成する他方の電極３４とに接続されている。尚、上述した各接続部分は、図３においては隠れて見えない。
【００６４】
書込みトランジスタＴＲWの周囲は、分離領域２２Ｂによって囲まれている。分離領域２２Ｂよりも外側に位置するｎチャネル型ウエル２１の部分には、層間絶縁層３３に設けられたコンタクトプラグ３７が接続されている。コンタクトプラグ３７は、図示せぬバックゲート用配線ＶＳＢに接続されている。これによって、書込みトランジスタＴＲWには、バックゲート用配線ＶＳＢを介して、バックゲート電圧が供給される。駆動トランジスタＴＲDについても、書込みトランジスタＴＲWと同様の構造によって、バックゲート用配線ＶＳＢを介して、バックゲート電圧が供給される。
【００６５】
層間絶縁層３３上には、更に、層間絶縁層４０が形成されている。層間絶縁層４０上には、アノード電極５１、正孔輸送層、発光層、電子輸送層、及び、カソード電極５３から成る発光部ＥＬＰが設けられている。尚、図面においては、正孔輸送層、発光層、及び、電子輸送層を１層５２で表した。発光部ＥＬＰが設けられていない層間絶縁層４０の部分の上には、第２層間絶縁層５４が設けられ、第２層間絶縁層５４及びカソード電極５３上には透明な基板６０が配置されており、発光層にて発光した光は、基板６０を通過して、外部に出射される。
【００６６】
アノード電極５１と駆動トランジスタＴＲDの他方のソース／ドレイン領域は、層間絶縁層３３に設けられた図示せぬコンタクトホールなどを介して接続されている。尚、図３においては、接続部は隠れて見えない。
【００６７】
また、カソード電極５３は、第２層間絶縁層５４、層間絶縁層４０に設けられたコンタクトプラグ５６，５５を介して、層間絶縁層３３の延在部上に設けられた、符号３８で示す共通給電線に接続されている。共通給電線３８には、各画素７０に共通する電圧として、電圧ＶCATHが供給される。
【００６８】
以上、発光部ＥＬＰやトランジスタなどの立体的な配置関係について説明した。次いで、本開示の理解を助けるため、参考例に係る表示装置の課題について説明する。
【００６９】
図４は、参考例に係る表示装置の概念図である。図５は、参考例に係る表示装置における画素の動作状態を説明するための模式的な回路図である。
【００７０】
図４に示す参考例の表示装置９にあっては、表示装置１に対して、バックゲート用配線ＶＳＢを省略した構成であって、各画素７０におけるバックゲート電圧は、給電線ＰＳ１を介して供給される。
【００７１】
ｐチャネル型の駆動トランジスタＴＲDを用いる場合、発光部ＥＬＰを発光させるためには、駆動トランジスタＴＲDのゲート・ソース間電圧（所謂Ｖgs）をマイナス電位にしなければならない。課題の理解を助けるため、以下の説明にあっては、白表示の映像信号電圧は［ＶCCマイナス１ボルト］、黒表示の映像信号電圧は［ＶCC］に設定されているとする。
【００７２】
或る画素７０を白表示とする場合には、ソースドライバ１１０からデータ線ＤＴＬに［ＶCCマイナス１ボルト］を供給し、その状態において、書込みトランジスタＴＲWを導通状態とした後に非導通状態とする。そして、容量部ＣSによってＶgsを［マイナス１ボルト］に保持することによって、１フレームの間、白表示に対応したドレイン電流IDS_Lumを発光部ＥＬＰに流すことができる。
【００７３】
ここで、駆動トランジスタＴＲDにドレイン電流が流れることによる給電線ＰＳ１の電圧変化について説明する。
【００７４】
図６は、参考例に係る表示装置における第ｍ行に属する画素群において、１つの画素が白表示であり他の画素は黒表示である場合に、給電線ＰＳ１に生ずる電圧変動を説明するための模式図である。
【００７５】
この場合には、給電線ＰＳ１mには、一つの画素７０におけるドレイン電流IDS_Lumが流れる。給電線ＰＳ１mは或る程度の配線抵抗を有するので、給電線ＰＳ１mに電流が流れると電圧降下が生ずる。電圧降下分を符号ΔＶ１で表す。
【００７６】
図７は、参考例に係る表示装置における第ｍ行に属する画素群において、１つの画素が黒表示であり他の画素は白表示である場合に、給電線ＰＳ１に生ずる電圧変動を説明するための模式図である。
【００７７】
この場合、給電線ＰＳ１mには、（Ｎ−１）個の画素７０のドレイン電流、即ち、（Ｎ−１）×IDS_Lumといった電流が流れる。従って、図６と対比して、給電線ＰＳ１mにおける電圧降下は大きくなる。このときの給電線ＰＳ１mの電圧降下分を符号ΔＶ２で表せば、ΔＶ２＞ΔＶ１といった関係である。
【００７８】
参考例の表示装置９にあっては、各画素７０におけるバックゲート電圧は、給電線ＰＳ１を介して供給される。このため、給電線ＰＳ１mに電圧降下が生ずると、画素７０の駆動回路を構成するトランジスタのバックゲート電圧も変化する。これによって、容量部ＣSからの電荷漏れの程度に影響が生ずる。
【００７９】
図８は、給電線ＰＳ１に生ずる電圧変動によって生ずる容量部ＣSからの電荷漏れを説明するための模式的な回路図である。
【００８０】
画素７０の容量部ＣSが白表示に対応する電圧ＶSig_Wを保持している状態で、給電線ＰＳ１mに電圧降下ΔＶが生ずると、書込みトランジスタＴＲWのバックゲート電圧は、ＶCCからＶCC−ΔＶに変化する。このため、書込みトランジスタＴＲWのソース／ドレイン間でのリークが生じやすくなり、容量部ＣSの電荷が漏れやすくなる。結果として、白表示の画素７０の輝度は低下しグレー表示に変化する。
【００８１】
そして、図６や図７を参照して説明したように、給電線ＰＳ１に生ずる電圧変動は、第ｍ行に属する画素群において白表示である画素７０の数によっても変化する。従って、白表示の画素の輝度の低下の程度は一律といったものでもない。このように、表示される画像の均一性を確保するといった点において、参考例に係る表示装置には課題が残る。
【００８２】
以上、参考例に係る表示装置の課題について説明した。
【００８３】
本開示の表示装置１にあっては、給電線ＰＳ１の電圧降下は書込みトランジスタのバックゲートに影響を与えない。従って、表示される画像の均一性を確保するといった点で優れた特徴を備えている。
【００８４】
図９は、第１の実施形態に係る表示装置におけるバックゲート電圧の供給路を説明するための模式的な回路図である。
【００８５】
図９に示すように、表示装置１にあっては、給電線ＰＳ１mに電圧降下が生じたとしても、書込みトランジスタＴＲWのバックゲート電圧にはバックゲート用配線ＶＳＢmを介して、駆動電圧ＶCCが常に供給される。従って、容量部ＣSの電荷漏れの程度が、第ｍ行に属する画素群の発光状態などによって影響を受けるといったことがない。
【００８６】
尚、駆動トランジスタＴＲDにおけるバックゲート電圧の変化は、容量部ＣSの電荷漏れについては関与しない。従って、例えば図１０に示すように、書込みトランジスタＴＲWのバックゲート電圧はバックゲート用配線ＶＳＢから供給し、駆動トランジスタのバックゲート電圧は給電線ＰＳ１から供給するといった構成であってもよい。
【００８７】
また、図１に示す例では、給電線ＰＳ１とバックゲート用配線ＶＳＢとには、共通の電源部１３０から同じ電圧が供給されるとした。電源部１３０の電圧供給能力が充分である場合には、この例でも特に支障は生じない。
【００８８】
しかしながら、給電線ＰＳ１に流れるドレイン電流によって電源部１３０の電圧供給能力が影響を受け、電源部１３０の電圧自体が変動するといったことも考えられる。また、書込みトランジスタＴＲWを介した電荷漏れをより抑制するといった観点からは、給電線ＰＳ１に供給される電圧とは異なる電圧を、バックゲート用配線ＶＳＢに供給するといったことも考えられる。以下、第１の実施形態の変形例について説明する。
【００８９】
図１１は、第１の実施形態の第１変形例に係る表示装置の概念図である。
【００９０】
第１変形例に係る表示装置１Ａにあっては、
給電線ＰＳ１には給電線ＰＳ１に対応した電源部（第１電源部）１３０Ａから電圧が供給され、
バックゲート用配線ＶＳＢには、給電線ＰＳ１に対応した電源部１３０Ａとは異なる電源部（第２電源部）１３０Ｂから電圧が供給される。
【００９１】
表示装置１Ａにおいて、バックゲート用配線ＶＳＢには、給電線ＰＳ１用の電源部とは独立した電源部によって電圧が供給される。従って、定性的には、電源部１３０の発生する電圧自体が変動したとしても、安定した電圧をバックゲート用配線ＶＳＢに供給することができる。
【００９２】
また、この構成は、給電線ＰＳ１に供給する電圧とは異なる電圧をバックゲート用配線ＶＳＢに供給するといったことにも対応することができるといった利点を備えている。
【００９３】
図１２は、第１の実施形態の第２変形例に係る表示装置の概念図である。
【００９４】
第２変形例に係る表示装置１Ｂは、第１変形例に係る表示装置１Ａに対して、バックゲート用配線ＶＳＢの電圧供給を、表示装置の外部から行うといった構成である。この構成は、バックゲート用配線ＶＳＢに供給する電圧をより安定したものとすることが容易であるといった利点を備えている。
【００９５】
［第２の実施形態］
第２の実施形態も、本開示に係る、表示装置、及び、電子機器に関する。
【００９６】
第１の実施形態にあっては、バックゲート用配線ＶＳＢには、一定電圧が供給されるとして説明した。しかしながら、容量部が保持した電荷の漏れを低減するといった目的からすれば、バックゲート用配線ＶＳＢに必ずしも一定電圧を供給する必要はない。換言すれば、書込みトランジスタが非導通状態であるときに安定したバックゲート電圧がバックゲート用配線ＶＳＢに供給されるといった構成とすることもできる。
【００９７】
図１３は、第２の実施形態に係る表示装置の概念図である。
【００９８】
第２の実施形態の表示装置２において、バックゲート用配線ＶＳＢには、表示素子の走査に応じて変化する電圧が供給される。
【００９９】
バックゲート用配線ＶＳＢには、書込みトランジスタＴＲWのゲート電極に接続される走査線に供給される電圧と同じ電圧が供給される。より具体的には、第ｍ番目のバックゲート用配線ＶＳＢmと第ｍ番目の走査線ＷＳmとは接続されており、走査線ＷＳmの走査に応じて変化する電圧が、垂直スキャナー１２０から供給される。
【０１００】
表示装置２においても、少なくとも 書込みトランジスタＴＲWのバックゲートには、駆動トランジスタに電圧を供給する給電線とは別に設けられたバックゲート用配線ＶＳＢを介して、電圧が供給される。このため、表示装置２においても、給電線ＰＳ１mの電圧降下は書込みトランジスタＴＲWのバックゲートに影響を与えない。従って、表示される画像の均一性を確保するといった点で優れた特徴を備えている。
【０１０１】
［駆動回路の変形例］
図１や図１３に示す表示装置の画素７０において、駆動回路は、ｐチャネル型の書込みトランジスタと駆動トランジスタ、及び、容量部から成るとして説明した。実際には、駆動回路は、種々の構成をとり得る。以下、駆動回路の各種変形例や、各種変形例におけるバックゲート電圧の供給例について、図面を参照して説明する。
【０１０２】
図１４は、第１変形例の画素に含まれる駆動回路におけるバックゲート電圧の供給路を説明するための模式的な回路図である。
【０１０３】
図１４に示す画素７０Ａは、４個のｐチャネル型トランジスタと２個のキャパシタとから構成された駆動回路７１Ａを含んでいる。この駆動回路７１Ａでは、駆動トランジスタＴＲDの閾値電圧のばらつきによる影響をキャンセルすることができる。このため、優れた輝度ユニフォミティで画像を表示することができる。
【０１０４】
駆動回路７１Ａにあっては、４個のｐチャネル型トランジスタの全てにバックゲート用配線ＶＳＢから電圧が供給される。供給される電圧は、駆動電圧ＶCCと同電圧であってもよいし、より高い電圧であってもよい。
【０１０５】
尚、図１４に示す例では、４個のｐチャネル型トランジスタにおけるバックゲート用電圧は全てが共通であるが、これに限るものではない。例えば、第２の実施形態で説明したように、書込みトランジスタＴＲWには、走査線ＷＳmの走査に応じて変化する電圧が供給される態様であってもよい。以下の図１５ないし図１７に示す例においても同様である。
【０１０６】
図１５は、第２変形例の画素に含まれる駆動回路におけるバックゲート電圧の供給路を説明するための模式的な回路図である。
【０１０７】
図１５に示す画素７０Ｂは、６個のｐチャネル型トランジスタと３個のキャパシタとから構成された駆動回路７１Ｂを含んでいる。図に示す例では、６個のｐチャネル型トランジスタの全てにバックゲート用配線ＶＳＢから電圧が供給される。
【０１０８】
図１６は、第３変形例の画素に含まれる駆動回路におけるバックゲート電圧の供給路を説明するための模式的な回路図である。
【０１０９】
図１６に示す画素７０Ｃは、５個のｐチャネル型トランジスタと１個のキャパシタとから構成された駆動回路７１Ｃを含んでいる。図に示す例では、５個のｐチャネル型トランジスタの全てにバックゲート用配線ＶＳＢから電圧が供給される。
【０１１０】
図１７は、第４変形例の画素に含まれる駆動回路におけるバックゲート電圧の供給路を説明するための模式的な回路図である。
【０１１１】
図１７に示す画素７０Ｄは、４個のｐチャネル型トランジスタと１個のキャパシタとから構成された駆動回路７１Ｄを含んでいる。図に示す例では、４個のｐチャネル型トランジスタの全てにバックゲート用配線ＶＳＢから電圧が供給される。
【０１１２】
上述した駆動回路は、全て、駆動回路を構成するトランジスタがｐチャネル型トランジスタで構成されていた。しかしながら、駆動回路はｎチャネル型トランジスタから構成することもできるし、あるいは又、導電型が異なる２種類のトランジスタを含んでいる構成とすることもできる。以下、このような例について説明する。
【０１１３】
図１８は、第５変形例の画素に含まれる駆動回路におけるバックゲート電圧の供給路を説明するための模式的な回路図である。
【０１１４】
図１８に示す画素７０Ｅは、２個のｎチャネル型トランジスタと１個のキャパシタとから構成された駆動回路７１Ｅを含んでいる。図に示す例では、２個のｎチャネル型トランジスタの全てにバックゲート用配線ＶＳＢから電圧が供給される。供給される電圧は、表示素子の駆動に用いられる最も低電位のもの（例えば接地電圧）、あるいは、更に低電位の電圧とすればよい。
【０１１５】
図１９は、第６変形例の画素に含まれる駆動回路におけるバックゲート電圧の供給路を説明するための模式的な回路図である。
【０１１６】
図１９に示す画素７０Ｆの駆動回路は、導電型が異なる２種類のトランジスタを含んでいる。そして、少なくとも書込みトランジスタを構成する導電型トランジスタ用のバックゲート用配線が設けられている。より具体的には、２種類のトランジスタのそれぞれに対応したバックゲート用配線が設けられている。
【０１１７】
図１９に示す画素７０Ｆは、２個のｐチャネル型トランジスタと３個のｎチャネル型トランジスタと１個のキャパシタとから構成された駆動回路７１Ｆを含んでいる。図に示す例では、２個のｐチャネル型トランジスタの全てにバックゲート用配線ＶＳＢ_ｐから電圧が供給され、３個のｎチャネル型トランジスタの全てにバックゲート用配線ＶＳＢ_ｎから電圧が供給される。
【０１１８】
以上説明したように、ｐチャネル型トランジスタを含む画素回路、ｎチャネル型トランジスタを含む画素回路、及び、ｐチャネル型トランジスタとｎチャネル型トランジスタとを含む画素回路のいずれにも、本開示を適用することができる。
【０１１９】
［電子機器］
以上説明した本開示の表示装置は、電子機器に入力された映像信号、若しくは、電子機器内で生成した映像信号を、画像若しくは映像として表示するあらゆる分野の電子機器の表示部（表示装置）として用いることができる。一例として、例えば、テレビジョンセット、デジタルスチルカメラ、ノート型パーソナルコンピュータ、携帯電話機等の携帯端末装置、ビデオカメラ、ヘッドマウントディスプレイ（頭部装着型ディスプレイ）等の表示部として用いることができる。
【０１２０】
本開示の表示装置は、封止された構成のモジュール形状のものをも含む。一例として、画素アレイ部に透明なガラス等の対向部が貼り付けられて形成された表示モジュールが該当する。尚、表示モジュールには、外部から画素アレイ部への信号等を入出力するための回路部やフレキシブルプリントサーキット（ＦＰＣ）などが設けられていてもよい。以下に、本開示の表示装置を用いる電子機器の具体例として、デジタルスチルカメラ及びヘッドマウントディスプレイを例示する。但し、ここで例示する具体例は一例に過ぎず、これに限られるものではない。
【０１２１】
（具体例１）
図２０は、レンズ交換式一眼レフレックスタイプのデジタルスチルカメラの外観図であり、図２０Ａにその正面図を示し、図２０Ｂにその背面図を示す。レンズ交換式一眼レフレックスタイプのデジタルスチルカメラは、例えば、カメラ本体部（カメラボディ）４１１の正面右側に交換式の撮影レンズユニット（交換レンズ）４１２を有し、正面左側に撮影者が把持するためのグリップ部４１３を有している。
【０１２２】
そして、カメラ本体部４１１の背面略中央にはモニタ４１４が設けられている。モニタ４１４の上部には、ビューファインダ（接眼窓）４１５が設けられている。撮影者は、ビューファインダ４１５を覗くことによって、撮影レンズユニット４１２から導かれた被写体の光像を視認して構図決定を行うことが可能である。
【０１２３】
上記の構成のレンズ交換式一眼レフレックスタイプのデジタルスチルカメラにおいて、そのビューファインダ４１５として本開示の表示装置を用いることができる。すなわち、本例に係るレンズ交換式一眼レフレックスタイプのデジタルスチルカメラは、そのビューファインダ４１５として本開示の表示装置を用いることによって作製される。また、背面に配置されるモニタ４１４についても同様に本開示の表示装置を用いることができる。
【０１２４】
（具体例２）
図２１は、ヘッドマウントディスプレイの外観図である。ヘッドマウントディスプレイは、例えば、眼鏡形の表示部５１１の両側に、使用者の頭部に装着するための耳掛け部５１２を有している。このヘッドマウントディスプレイにおいて、その表示部５１１として本開示の表示装置を用いることができる。すなわち、本例に係るヘッドマウントディスプレイは、その表示部５１１として本開示の表示装置を用いることによって作製される。
【０１２５】
（具体例３）
図２２は、シースルーヘッドマウントディスプレイの外観図である。シースルーヘッドマウントディスプレイ６１１は、本体部６１２、アーム６１３および鏡筒６１４で構成される。
【０１２６】
本体部６１２は、アーム６１３および眼鏡６００と接続される。具体的には、本体部６１２の長辺方向の端部はアーム６１３と結合され、本体部６１２の側面の一側は接続部材を介して眼鏡６００と連結される。なお、本体部６１２は、直接的に人体の頭部に装着されてもよい。
【０１２７】
本体部６１２は、シースルーヘッドマウントディスプレイ６１１の動作を制御するための制御基板や、表示部を内蔵する。アーム６１３は、本体部６１２と鏡筒６１４とを接続させ、鏡筒６１４を支える。具体的には、アーム６１３は、本体部６１２の端部および鏡筒６１４の端部とそれぞれ結合され、鏡筒６１４を固定する。また、アーム６１３は、本体部６１２から鏡筒６１４に提供される画像に係るデータを通信するための信号線を内蔵する。
【０１２８】
鏡筒６１４は、本体部６１２からアーム６１３を経由して提供される画像光を、接眼レンズを通じて、シースルーヘッドマウントディスプレイ６１１を装着するユーザの目に向かって投射する。このシースルーヘッドマウントディスプレイ６１１において、本体部６１２の表示部に、本開示の表示装置を用いることができる。
【０１２９】
［その他］
なお、本開示の技術は以下のような構成も取ることができる。
［Ａ１］
画素を構成する表示素子が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される、
表示装置。
［Ａ２］
バックゲート用配線には、一定の電圧が供給される、
上記［Ａ１］記載の表示装置。
［Ａ３］
書込みトランジスタはｐチャネル型トランジスタから構成されており、
バックゲート用配線には、給電線に供給される電圧と同じ電圧または異なる電圧が供給される、
上記［Ａ２］記載の表示装置。
［Ａ４］
給電線とバックゲート用配線とには、共通の電源部から電圧が供給される、
上記［Ａ３］記載の表示装置。
［Ａ５］
給電線には給電線に対応した電源部から電圧が供給され、
バックゲート用配線には、給電線に対応した電源部とは異なる電源部から電圧が供給される、
上記［Ａ３］記載の表示装置。
［Ａ６］
バックゲート用配線には、表示素子の走査に応じて変化する電圧が供給される、
上記［Ａ１］記載の表示装置。
［Ａ７］
バックゲート用配線には、書込みトランジスタのゲート電極に接続される走査線に供給される電圧と同じ電圧が供給される、
上記［Ａ６］記載の表示装置。
［Ａ８］
駆動回路は、導電型が異なる２種類のトランジスタを含んでおり、
少なくとも書込みトランジスタを構成する導電型トランジスタ用のバックゲート用配線が設けられている、
上記［Ａ１］ないし［Ａ７］のいずれかに記載の表示装置。
［Ａ９］
２種類のトランジスタのそれぞれに対応したバックゲート用配線が設けられている、
上記［Ａ８］に記載の表示装置。
［Ａ１０］
発光部は有機エレクトロルミネッセンス発光部から成る、
上記［Ａ１］ないし［Ａ９］のいずれかに記載の表示装置。
【０１３０】
［Ｂ１］
画素を構成する表示素子が行方向と列方向とに２次元マトリクス状に配列されている画素アレイ部を有し、
表示素子は、電流駆動型の発光部、及び、発光部を駆動するための駆動回路を備えており、
駆動回路は、映像信号を書き込むための書込みトランジスタと、発光部に電流を流す駆動トランジスタとを少なくとも含んでおり、
少なくとも書込みトランジスタのバックゲートには、駆動トランジスタに電圧を供給する給電線とは別に設けられたバックゲート用配線を介して、電圧が供給される、
表示装置を備えた電子機器。
［Ｂ２］
バックゲート用配線には、一定の電圧が供給される、
上記［Ｂ１］記載の電子機器。
［Ｂ３］
書込みトランジスタはｐチャネル型トランジスタから構成されており、
バックゲート用配線には、給電線に供給される電圧と同じ電圧または異なる電圧が供給される、
上記［Ｂ２］記載の電子機器。
［Ｂ４］
給電線とバックゲート用配線とには、共通の電源部から電圧が供給される、
上記［Ｂ３］記載の電子機器。
［Ｂ５］
給電線には給電線に対応した電源部から電圧が供給され、
バックゲート用配線には、給電線に対応した電源部とは異なる電源部から電圧が供給される、
上記［Ｂ３］記載の電子機器。
［Ｂ６］
バックゲート用配線には、表示素子の走査に応じて変化する電圧が供給される、
上記［Ｂ１］記載の電子機器。
［Ｂ７］
バックゲート用配線には、書込みトランジスタのゲート電極に接続される走査線に供給される電圧と同じ電圧が供給される、
上記［Ｂ６］記載の電子機器。
［Ｂ８］
駆動回路は、導電型が異なる２種類のトランジスタを含んでおり、
少なくとも書込みトランジスタを構成する導電型トランジスタ用のバックゲート用配線が設けられている、
上記［Ｂ１］ないし［Ｂ７］のいずれかに記載の電子機器。
［Ｂ９］
２種類のトランジスタのそれぞれに対応したバックゲート用配線が設けられている、
上記［Ｂ８］に記載の電子機器。
［Ｂ１０］
発光部は有機エレクトロルミネッセンス発光部から成る、
上記［Ｂ１］ないし［Ｂ９］のいずれかに記載の電子機器。
【符号の説明】
【０１３１】
１，１Ａ，１Ｂ，２，９・・・表示装置、１０・・・基材、２０・・・半導体層、２１・・・ｎチャネル型ウエル、２２Ａ・・・素子分離領域、２２Ｂ・・・分離領域、２３Ａ，２３Ｂ，２３Ｃ，２３Ｄ・・・ソース／ドレイン領域、３１・・・ゲート絶縁層、３１’・・・絶縁層、３２・・・ゲート電極、３２’・・・他方の電極、３３・・・層間絶縁層、３４・・・一方の電極、３５，３６，３７・・・コンタクトプラグ、３８・・・共通給電線、４０・・・層間絶縁層、５１・・・アノード電極、５２・・・正孔輸送層、発光層、及び、電子輸送層、５３・・・カソード電極、５４・・・第２層間絶縁層、５５，５６・・・コンタクトプラグ、６０・・・透明な基板、７０，７０Ａ，７０Ｂ，７０Ｃ，７０Ｄ，７０Ｅ，７０Ｆ・・・表示素子、７１，７１Ａ，７１Ｂ，７１Ｃ，７１Ｄ，７１Ｅ，７１Ｆ・・・表示素子、８０・・・画素アレイ部、１００・・・半導体基板、１１０・・・ソースドライバ、１２０・・・垂直スキャナー、１３０・・・電源部、１３０Ａ・・・第１電源部、１３０Ｂ・・・第１電源部、ＴＲW・・・書込みトランジスタ、ＴＲD・・・駆動トランジスタ、ＣS・・・容量部、ＥＬＰ・・・有機エレクトロルミネッセンス発光部、ＣEL・・・発光部ＥＬＰの容量、ＷＳ・・・走査線、ＤＴＬ・・・データ線、ＰＳ１・・・給電線、ＶＳＢ，ＶＳＢ＿ｐ，ＶＳＢ＿ｎ・・・バックゲート用配線、４１１・・・カメラ本体部、４１２・・・撮影レンズユニット、４１３・・・グリップ部、４１４・・・モニタ、４１５・・・ビューファインダ、５１１・・・眼鏡形の表示部、５１２・・・耳掛け部、６００・・・眼鏡、６１１・・・シースルーヘッドマウントディスプレイ、６１２・・・本体部、６１３・・・アーム、６１４・・・鏡筒
【図１】
2020086045.tif 000003
【図２】
2020086045.tif 000004
【図３】
2020086045.tif 000005
【図４】
2020086045.tif 000006
【図５】
2020086045.tif 000007
【図６】
2020086045.tif 000008
【図７】
2020086045.tif 000009
【図８】
2020086045.tif 000010
【図９】
2020086045.tif 000011
【図１０】
2020086045.tif 000012
【図１１】
2020086045.tif 000013
【図１２】
2020086045.tif 000014
【図１３】
2020086045.tif 000015
【図１４】
2020086045.tif 000016
【図１５】
2020086045.tif 000017
【図１６】
2020086045.tif 000018
【図１７】
2020086045.tif 000019
【図１８】
2020086045.tif 000020
【図１９】
2020086045.tif 000021
【図２０】
2020086045.tif 000022
【図２１】
2020086045.tif 000023
【図２２】
2020086045.tif 000024
【図２３】
2020086045.tif 000025